(57)【特許請求の範囲】
【請求項１】
装置板に打球槌を設けてなる球発射ユニットと、打球自動供給装置と、前記打球槌とは別体であってその打球槌の運動を前記打球自動供給装置に伝達するための揺動部材と、を有し、打球槌を中心として反装置板側に前記揺動部材の作動板を臨ましめ、その作動板に打球槌を係合させて揺動部材を揺動させるようにしたパチンコ機において、
球発射ユニットの装置板に対し打球槌を設けた側に揺動軸を突設し、この揺動軸に打球槌側から装置板側に向けて揺動部材を差し込むようにしたことを特徴とするパチンコ機。
【発明の詳細な説明】
【０００１】
【産業上の利用分野】
本発明は、パチンコ機に関する。
【０００２】
【従来の技術及び発明が解決しようとする課題】
従来のパチンコ機は、発射レールの取付台板の下縁（図１６の符号Ｚ部分）に軸受板を延設し、その軸受板に揺動軸を突設して該揺動軸に揺動部材を枢着するようにしていたため、球発射ユニットを前枠に取り付ける際に揺動部材の作動板と打球槌の前後位置を入れ替える作業が非常に面倒で、作業性が悪かった。
【０００３】
【課題を解決するための手段】
装置板に打球槌を設けてなる球発射ユニットと、打球自動供給装置と、前記打球槌とは別体であってその打球槌の運動を前記打球自動供給装置に伝達するための揺動部材と、を有し、打球槌を中心として反装置板側に前記揺動部材の作動板を臨ましめ、その作動板に打球槌を係合させて揺動部材を揺動させるようにしたパチンコ機において、球発射ユニットの装置板に対し打球槌を設けた側に揺動軸を突設し、この揺動軸に打球槌側から装置板側に向けて揺動部材を差し込むようにしたパチンコ機を提供する。
【０００４】
揺動部材を球発射ユニットの装置板に枢着するようにすれば、揺動部材と打球槌の係合が容易であり、さらに、球発射ユニットを発射基板に取り付ける段階で揺動部材の装着も終了しているから、パチンコ機の最終組み立てが非常に簡単になる。
【０００５】
【実施例１】
以下に本発明の実施例１を図面を参照しつつ説明する。なお、図１はパチンコ機の正面図、図２は桟枠部分で切断したパチンコ機の断面正面図、図３は図２矢示Ａ１部を拡大した部分正面図、図４は図３のＡ２−Ａ２線断面図、図５は図２矢示Ａ１部の主要部品を示す分解斜視図、図６は図２矢示Ｂ１部を拡大した部分正面図、図７は図６のＢ２−Ｂ２線断面図、図８は図２矢示Ｂ１部の主要部品を示す分解斜視図である。
【０００６】
パチンコ機Ｐの前枠１は、図１に示すように、外枠２の前面側に蝶番金具３，３で取り付けられており、該蝶番金具３，３を支点としてドア状に開閉動自在である。この前枠１には窓孔４が開設されており、その窓孔４をガラス扉枠５と前面板６で覆っている。ガラス扉枠５と前面板６は、図１において左側縁の上下で前枠１に軸着されており、前枠１と同じ方向に夫々独立して開閉動可能である。
前枠１の裏側には窓孔４を囲うように桟枠７が一体に突設されている。桟枠７には、下方部に発射レール８を取り付けるための発射基板９が、また、後側に周縁部を囲うように板止め部１０が一体に設けられている。なお、本実施例において前枠１と桟枠７は合成樹脂の一体成型品であるが、木製品であってもよい。
【０００７】
遊技板１１は、桟枠７の発射基板９より上の内周面に合致する形状であり、桟枠７の表側から入れると板止め部１０に当たって止まり、この状態で表面が前記発射基板９と面一になる。なお、遊技板１１には、ガイドレール１２、装飾部品１３、入賞装置１４、風車１５、障害釘１６などが設置され、さらに、アウト球口１７や賞球排出口１８などが開設されている。
【０００８】
而して、図２において桟枠７の右側には上下二箇所に係合突片１９が突設されている。この係合突片１９は、図３〜図５に示すように、桟枠７と別体になっており、破損時に交換可能なように取付片２０を介して桟枠７にビス止めされている。係合突片１９は、先端が矢印形状であって、図３に示すように遊技板１１の板面とほぼ直交する方向から遊技板１１の板面と平行な方向に基端部分が曲がっていて、遊技板１１の板面と平行な方向の力に対して弾性的に変形し得る。
一方、遊技板１１には前記係合突片１９に対応する側面に係合受部材２１が固着されている。この係合受部材２１は合成樹脂製であって、遊技板１１にビス止めするための取付基盤２２と、係合突片１９を誘導して係合する係合溝２３を有する。係合溝２３は、係合突片１９の矢印形頭部に当たって該係合突片１９を前記弾性に抗して変形させるテーパ部２４と、係合突片１９の鍵部１９ａが係合する段部２５とからなる。
係合突片１９は、遊技板１１の係合受部材２１と係合した状態で頭部が遊技板１１の表側に突出するよう長さが設定されており、パチンコ機Ｐの表側から解除操作が可能である。
【０００９】
遊技板１１の他方の側面とそれに接する桟枠７には図６〜図８に示すような嵌合係止構造が上下二箇所に施されている。この嵌合係止構造は、遊技板１１側に設けた合成樹脂製の凸部材２６を、桟枠７側に設けた凹欠部２７に係合させるようにしたものである。なお、桟枠７側の凹欠部２７にはその上下位置にガイド突起２８，２８を延設し、該ガイド突起２８，２８を遊技板１１側のガイド溝２９，２９に嵌めて凸部材２６と凹欠部２７の嵌合を円滑化している。
【００１０】
次に、パチンコ機Ｐの遊技板１１の交換方法について説明する。
先ず、遊技板１１は、図１〜図４，図６，図７に示すように桟枠７の中に嵌まり、左側縁が嵌合係止構造で、右側縁が係合突片１９と係合受部材２１の係合で固定されている。
【００１１】
この状態から遊技板１１を外すには、最初にガラス扉枠５と前面板６を開き、係合突片１９を桟枠７側に指で押圧して係合受部材２１との係合を解除し、遊技板１１の右側縁を表側に引き出す。そうして遊技板１１を僅かに右側にスライドさせれば左側縁の嵌合係止構造の係合も外れるから、前枠１の窓孔４から遊技板１１を取り出すことができる。なお、実施例１のようにガラス扉枠５と前面板６の非軸着側（開き側）に係合突片１９を配置しておけば、係合突片１９の解除操作をする際にガラス扉枠５や前面板６が邪魔になることがない。また、図２に鎖線で示すように装飾部品１３の側面に凹部３０を設けて係合突片１９操作用の空間を積極的に形成するようにしてもよい。
【００１２】
次に、遊技板１１を装着する場合には、ガラス扉枠５と前面板６を開いて桟枠７内に遊技板１１を入れ、先ず遊技板１１の左側縁の凸部材２６を桟枠７の凹欠部２７に嵌合させる。そして、遊技板１１の右側縁を桟枠７に嵌めると、係合突片１９が係合受部材２１のテーパ部２４に沿って変形し、鍵部１９ａがテーパ部２４を越えて弾性により段部２５に係合する。これにより遊技板１１の左右両側縁が桟枠７に固定される。
【００１３】
なお、上記した実施例１に必要により図９に示すような略Ｌ字状の押出しレバー３１をオプション部品として取り付けるようにしてもよい。該押出しレバー３１は、桟枠７に揺動自在に軸着され、各係合突片１９の上又は下に夫々並設される。そして、押出しレバー３１の遊技板１１から突出する端部を図９鎖線のように外向きに傾動させれば、梃子作用で遊技板１１を桟枠７から押し出すことができる。従って、係合突片１９の解除操作に関連させて押出しレバー３１を使用することにより遊技板１１の取り外しが容易になる。また、図示しないが、遊技板１１の取り外しを容易にするために、遊技板１１の裏面と桟枠７の間にゴムやバネなどの弾性体を介装し、該弾性体の復元弾性で遊技板１１の押出し動作を補助するようにしてもよい。
【００１４】
【実施例２】
前記実施例１は桟枠７側に係合突片１９を突設し、非突設側の部材たる遊技板１１に該係合突片１９を係合させるようにしたが、図１０，図１１に示したように遊技板１１側に係合突片１９を突設することもできる。この場合、係合突片１９は、例えば図示したように装飾部品１３に突設し、該係合突片１９の鍵部１９ａが桟枠７の板止め部１０の側縁に係合するように設定しておく。
この実施例２のパチンコ機Ｐは、前記実施例１が係合突片１９を桟枠７側に変形させて解除操作を行ったのに対し、図１１二点鎖線のように係合突片１９を遊技板１１側に変形させて解除操作を行うため、係合突片１９を押した指でそのまま遊技板１１を引張ることができる。従って、実施例１に比べて遊技板１１の取り外しが行い易い。
なお、係合突片１９は、装飾部品１３や遊技板１１と別体に形成し、それを遊技板１１に取り付けるようにしてもよい。また、係合突片１９の先端が遊技板１１の裏面に突出して支障がある場合は、図１１において一点鎖線で示したように係合箇所を遊技板１１の表側にずらせばよい。
【００１５】
以上本発明を実施例１，２について説明したが、もちろん本発明は上記実施例に限定されるものではない。
例えば、実施例１では遊技板１１の一側縁を係合突片１９で固定し、他側縁を嵌合係止構造で固定するようにしたが、両側縁に係合突片１９を設けて遊技板１１を固定するようにしてもよい。また、係合突片１９を桟枠７の上縁側に配置し、嵌合係止構造を発射基板９の上縁に配置するようにしてもよい。
また、実施例１では、係合突片１９を独立した部品として成形してこれを桟枠７にビス止めしたが、係合突片１９を桟枠７から一体に突設するようにしてもよい。
また、係合突片１９は、例えば一つを桟枠７から突設し、もう一つを遊技板１１から突設する、というように実施例１と実施例２の構造をミックスするようにしてもよい。
また、係合突片１９の形状はどのようなものであってもよい。
また、ガラス扉枠５の内側に遊技板１１に向かう腕片を突設し、該腕片の先端にウレタンゴムなどのゴムやバネを設けて遊技板１１を押さえ付けるようにしてもよい。この構造を採用すれば、遊技板１１を固定した状態において多少のガタ付きがあってもガラス扉枠５を閉めることにより遊技板１１がしっかりと安定する効果がある。
また、実施例１，２において、遊技板１１側に設置する入賞装置１４や装飾ランプなどの電気部品と機構板側の制御基盤ボックスとを繋ぐコネクターを、遊技板１１裏面の嵌合係止構造側寄りに設ければ、嵌合係止構造側を支点にドア状に遊技板１１を動かして容易にコネクターの着脱が行える。
【００１６】
【実施例３】
次に実施例３について図１２〜図１６を参照しつつ説明する。なお、図１２は前枠と遊技板の分解斜視図、図１３は遊技板の係合部分を示す要部の分解斜視図、図１４は遊技板の係合部分を示す要部の横断平面図、図１５は装飾部品の一部を示す要部縦断面図、図１６は発射基板の分解斜視図である。
【００１７】
実施例３のパチンコ機Ｐは、遊技板１１を前枠１の裏側から着脱する形式であり、桟枠７の裏側の内周形状が遊技板１１の外周形状に合致する。遊技板１１固定用の係合突片１９は、遊技板１１の遊技部１１ａの周辺を装飾する装飾部品１３の裏側に突設されており、頭部に矢印形状の鍵片１９ｂを有する二枚の爪片１９ｃ，１９ｃを背中合わせに突設した形態である。該係合突片１９は、遊技板１１に穿設した段付き孔１１ｂに頭部の鍵片１９ｂが係合するようになっており、二枚ある爪片１９ｃ，１９ｃを指で挟んで撓ませることにより段付き孔１１ｂとの係合を解くことができる。装飾部品１３は、図１４に示すように、透光性のカバー部１３ａとランプや発光ダイオード１３ｂなどを取り付ける基板部１３ｃとの二重構造であり、本実施例３では基板部１３ｃを前枠１と一体に成形して装飾部品１３を前枠１側の固定部品とする。従って、装飾部品１３の係合突片１９を遊技板１１の段付き孔１１ｂに係合させれば、遊技板１１と前枠１が装飾部品１３を介して一体的に連結されるのである。
【００１８】
なお、遊技板１１には、図１２と図１３に示したように、上縁に指掛け凹部１１ｃが形成されており、係合突片１９の係合を解除しながら指掛け凹部１１ｃに指を掛ければ、遊技板１１を簡単に外すことができる。もちろん、この指掛け凹部１１ｃは桟枠７に形成してもよい。また、装飾部品１３のカバー部１３ａは、基板部１３ｃの上に嵌合し、図１５に示すように、カバー部１３ａに設けた爪１３ｄを基板部１３ｃに係合させて固定するようにしてある。そして、ランプの交換などでカバー部１３ａを外すときは、桟枠７の上縁に形成した爪用凹部７ａに指を入れて爪１３ｄを押圧し、該爪１３ｄと基板部１３ｃとの係合を解く。このように、前枠１と一体に成形した基板部１３ｃに対して、カバー部１３ａを着脱自在にしておくことで、遊技板を交換する際に、カバー部１３ａをその新しい遊技板にマッチしたデザインのものに交換することができる。
【００１９】
また、実施例３は、発射基板９を、図１２に示すように、前枠１の別部品として金型成形し、それをビスなどで固着するようにしたものであって、該発射基板９に、機構板の景品球排出樋（図示せず）と下球皿３２（図１参照）とを連結する連絡樋３３、球発射ユニット３４を取り付けるための設置プレート３５、及び、コーナー飾り３６、などが一体に形成されている。このように発射基板９に連絡樋３３や球発射ユニット３４の設置プレート３５、或いは、コーナー飾り３６などを一体成形で突設しておけば、前枠１と桟枠７とが合成樹脂で一体成形されたものと組み合わせることにより、パチンコ機Ｐの組み立て作業の能率が飛躍的に向上する。また、球発射ユニット３４の設置プレート３５を発射基板９に一体化しておくことにより、球発射ユニット３４の位置決めが正確になり、従って、球飛びが高いレベルで安定する。
【００２０】
また、図１６に示したように、球発射ユニット３４の装置板３４ａに揺動軸３４ｂを突設し、該揺動軸３４ｂに、打球槌３４ｃの運動を打球自動供給装置（図示せず）に伝達する公知の揺動部材３４ｄを枢着するようにしておけば、従来のパチンコ機に比べて組み立て作業の能率が向上する。すなわち、従来のパチンコ機は、発射レール８の取付台板８ａの下縁（図１６の符号Ｚ部分）に軸受板を延設し、その軸受板に揺動軸３４ｂを突設して該揺動軸３４ｂに揺動部材３４ｄを枢着するようにしていたため、球発射ユニット３４を前枠１に取り付ける際に揺動部材３４ｄの作動板３４ｅと打球槌３４ｃの前後位置を入れ替える作業が非常に面倒で、作業性が悪かった。これに対して、前記のように揺動部材３４ｄを球発射ユニット３４の装置板３４ａに軸着するようにすれば、揺動部材３４ｄを揺動軸３４ｂに図１６矢示Ｗの方向から差し込む自然な動作で作動板３４ｅと打球槌３４ｃを係合させることができ、さらに、球発射ユニット３４を発射基板９に取り付ける段階で揺動部材３４ｄの装着も終了しているから、パチンコ機Ｐの最終組み立てが非常に簡単になるのである。もちろん、この構造はあらゆるパチンコ機に対して有用である。
【００２１】
その他、図１６中、３７は打球槌３４ｃ用の軸受、３８は球発射ユニット３４に設けたハンドル軸、３９，４０は前記軸受３７とハンドル軸３８を挿通するために設置プレート３５に穿設した透孔である。
【００２２】
【実施例４】
図１７（ａ），（ｂ）、図１８（ａ），（ｂ）は実施例４を示すもので、図１７（ａ）は遊技板の係合部分を示す部分正面図、図１７（ｂ）は図１７（ａ）のＸ−Ｘ線断面図、図１８（ａ）は遊技板の係合部分を示す部分正面図、図１８（ｂ）は図１８（ａ）のＹ−Ｙ線断面図である。
【００２３】
実施例４は、前記装飾部品１３に設けた係合突片１９を回転式の摘み型にしたものである。該係合突片１９は、装飾部品１３の基板部１３ｃから突設した軸筒１９ｄと、該軸筒１９ｄに回転・摺動自在に挿通した摘み軸１９ｅと、その摘み軸１９ｅの頭部に一体に設けた摘み片１９ｆと、摘み軸１９ｅの基端部と装飾部品１３の間に介装した皿ばね座金１９ｇとからなり、前記摘み片１９ｆ下面を図１７（ｂ）のように弧状にしてなる。一方、遊技板１１の段付き孔１１ｂは、係合突片１９の摘み片１９ｆが挿通可能な長孔１１ｂ−１と、摘み片１９ｆが回転可能な円形凹部１１ｂ−２との組み合わせ構造であって、長孔１１ｂ−１の周縁に面取り部１１ｄが形成されている。
【００２４】
実施例４の係合突片１９と段付き孔１１ｂは以上のように構成されているため、図１８（ａ），（ｂ）のように、段付き孔１１ｂの長孔１１ｂ−１に係合突片１９の摘み片１９ｆを通して円形凹部１１ｂ−２内で回転させれば、摘み片１９ｆの下面が長孔１１ｂ−１の面取り部１１ｄに当たり、皿ばね座金１９ｇを扁平方向に撓ませながら該面取り部１１ｄを乗り越える。従って、皿ばね座金１９ｇの弾性で遊技板１１が装飾部品１３に押し付けられて安定する。なお、実施例４は、長孔１１ｂ−１の面取り部１１ｄと皿ばね座金１９ｇを省略することもできる。また、実施例３，４において、係合突片１９は遊技板１１の裏面と面一か、又はそれより低くなるようにしておくのがよい。そうすれば、係合突片１９と機構板が干渉し合わない。
【００２５】
【発明の効果】
本発明のパチンコ機は、球発射ユニットの装置板に対し打球槌を設けた側に揺動軸を突設し、この揺動軸に打球槌側から装置板側に向けて揺動部材を差し込むようにしたため、揺動部材と打球槌の係合が容易であり、さらに、球発射ユニットを発射基板に取り付ける段階で揺動部材の装着も終了しているから、パチンコ機の最終組み立てが非常に簡単になる。
【図面の簡単な説明】
【図１】  パチンコ機の正面図である。
【図２】  桟枠部分で切断したパチンコ機の断面正面図である。
【図３】  図２矢示Ａ１部を拡大した部分正面図である。
【図４】  図３のＡ２−Ａ２線断面図である。
【図５】  図２矢示Ａ１部の主要部品を示す分解斜視図である。
【図６】  図２矢示Ｂ１部を拡大した部分正面図である。
【図７】  図６のＢ２−Ｂ２線断面図である。
【図８】  図２矢示Ｂ１部の主要部品を示す分解斜視図である。
【図９】  実施例１のオプション部品を示す要部の横断平面図である。
【図１０】  実施例２を示すもので、桟枠部分で切断したパチンコ機の断面正面図である。
【図１１】  実施例２の係合部分を示す要部の横断平面図である。
【図１２】  実施例３を示す前枠と遊技板の分解斜視図である。
【図１３】  実施例３の遊技板の係合部分を示す要部の分解斜視図である。
【図１４】  実施例３の遊技板の係合部分を示す要部の横断平面図である。
【図１５】  実施例３の装飾部品の一部を示す要部縦断面図である。
【図１６】  実施例３の発射基板の分解斜視図である。
【図１７】  （ａ），（ｂ）は実施例４を示すもので、（ａ）は遊技板の係合部分を示す部分正面図、（ｂ）は（ａ）のＸ−Ｘ線断面図である。
【図１８】  （ａ），（ｂ）は実施例４を示すもので、（ａ）は遊技板の係合部分を示す部分正面図、（ｂ）は（ａ）のＹ−Ｙ線断面図である。
【符号の説明】
Ｐ    …パチンコ機
３４  …球発射ユニット
３４ａ…装置板
３４ｃ…打球槌
３４ｄ…揺動部材
３４ｅ…作動板
【図１】
0003820905.tif 000002
【図２】
0003820905.tif 000003
【図３】
0003820905.tif 000004
【図４】
0003820905.tif 000005
【図５】
0003820905.tif 000006
【図６】
0003820905.tif 000007
【図７】
0003820905.tif 000008
【図８】
0003820905.tif 000009
【図９】
0003820905.tif 000010
【図１０】
0003820905.tif 000011
【図１１】
0003820905.tif 000012
【図１２】
0003820905.tif 000013
【図１３】
0003820905.tif 000014
【図１４】
0003820905.tif 000015
【図１５】
0003820905.tif 000016
【図１６】
0003820905.tif 000017
【図１７】
0003820905.tif 000018
【図１８】
0003820905.tif 000019